(57)【要約】【課題】小型で且つ一種類もしくは最小限の形状種類の支持台座を各段にて共通的に用い、容易に施工することのできる、新しい廻り階段の内柱支持構造を提供する。【解決手段】内柱（１）に対して各段毎に支持台座（２）と踏板（３）を配設する廻り階段の内柱支持構造であって、踏板（３）の後部上面（３１）に蹴込板嵌入溝（３２）を設け、支持台座（２）を蹴込板嵌入溝（３２）より後側の後部上面（３１）スペースに載せるとともに蹴込板嵌入溝（３２）に嵌入立設した蹴込板（４）の後面部（４２）に対向させて内柱（１）に取り付け、この支持台座（２）に上段の踏板（３）を載置する。【選択図】  図１
2004176292.tif 000002
【特許請求の範囲】
【請求項１】
内柱に対して各段毎に支持台座と踏板を配設する廻り階段の内柱支持構造であって、踏板の後部上面に蹴込板嵌入溝を設け、支持台座を蹴込板嵌入溝より後側の後部上面スペースに載せるとともに蹴込板嵌入溝に嵌入立設した蹴込板の後面部に対向させて内柱に取り付け、この支持台座に上段の踏板を載置したことを特徴とする廻り階段の内柱支持構造。
【請求項２】
支持台座は、蹴込板の後面部に対向する側面部を蹴込板の設置角度に整合させたものとなっていることを特徴とする請求項１記載の廻り階段の内柱支持構造。
【請求項３】
支持台座は、蹴込板の後面部に対向する側面部とその反対側の側面部の角度とを互いに異ならせたものとなっていることを特徴とする請求項２記載の廻り階段の内柱支持構造。
【請求項４】
踏板は、太さの異なる複数の内柱の横断面外周形状が各々中心を一致させて記載されているとともに各横断面外周形状に対する踏板の内柱側先端部の形状が記載されている型紙に従った内柱側先端部形状を有するものとなっていることを特徴とする請求項１記載の廻り階段の内柱支持構造。
【発明の詳細な説明】
【０００１】
【発明の属する技術分野】
この出願の発明は、優れた施工性を有する新しい廻り階段の内柱支持構造に関するものである。
【０００２】
【従来の技術】
従来、廻り階段の中心に位置する内柱にて廻り踏板を支持するための構造については、複数の段差部を設けた縦長平板状の支持台座を内柱に取り付け、この支持台座の各段差部に踏板を上載するもの（特許文献１参照）や、各段毎に個別の支持台座を用いて、支持台座と踏板を順に内柱に配設するもの（特許文献２参照）が知られている。
【０００３】
【特許文献１】
特開２００２−１８８２６４号公報
【特許文献２】
特開平４−１４０３５６号公報
【０００４】
【発明が解決しようとする課題】
しかしながら、上記特許文献１に記載の支持構造では、支持台座が大型化し、内柱への取り付けに手間がかかるといった不都合が考えられ、上記特許文献２に記載に支持構造では、特許文献１のものに比べれば個々の支持台座は小さくできるが、その形状が各段によって異なり、やはり施工に手間がかかるといった不都合が考えられる。
【０００５】
この出願の発明は、以上のとおりの事情に鑑みてなされたものであり、小型で且つ一種類もしくは最小限の形状種類の支持台座を各段にて共通的に用いることができ、より容易に施工可能な、新しい廻り階段の内柱支持構造を提供することを課題としている。
【０００６】
【課題を解決するための手段】
この出願の発明は、上記の課題を解決するものとして、第１には、内柱に対して各段毎に支持台座と踏板を配設する廻り階段の内柱支持構造であって、踏板の後部上面に蹴込板嵌入溝を設け、支持台座を蹴込板嵌入溝より後側の後部上面スペースに載せるとともに蹴込板嵌入溝に嵌入立設した蹴込板の後面部に対向させて内柱に取り付け、この支持台座に上段の踏板を載置したことを特徴とする廻り階段の内柱支持構造を提供する。
【０００７】
また、第２には、前記支持台座が、蹴込板の後面部に対向する側面部を蹴込板の設置角度に整合させたものとなっていることを特徴とする廻り階段の内柱支持構造、第３には、前記支持台座が、蹴込板の後面部に対向する側面部とその反対側の側面部の角度とを互いに異ならせたものとなっていることを特徴とする廻り階段の内柱支持構造、第４には、前記踏板が、太さの異なる複数の内柱の横断面外周形状が各々中心を一致させて記載されているとともに各横断面外周形状に対する踏板の内柱側先端部の形状が記載されている型紙に従った内柱側先端部形状を有するものとなっていることを特徴とする廻り階段の内柱支持構造を提供する。
【０００８】
【発明の実施の形態】
上記のとおりの特徴を有するこの出願の発明によれば、たとえば図１に例示したように、内柱（１）に対して各段毎に配設する支持台座（２）および踏板（３）について、踏板（３）の後部上面（３１）に蹴込板嵌入溝（３２）を設け、支持台座（２）を蹴込板嵌入溝（３２）より後側の後部上面（３１）スペースに載せるとともに蹴込板嵌入溝（３２）に嵌入立設した蹴込板（４）の後面部（４２）に対向させて内柱（１）に取り付け、この支持台座（２）に上段の踏板（３）を載置するように構成することで、小型で且つ同一形状の支持台座（２）を各段に用いることができ、施工性のより優れた廻り階段の内柱支持構造を実現できる。
【０００９】
より具体的には、図１の実施形態では、まず、内柱（１）（センター柱とも呼べる）を中心にして廻り階段を構成する各踏板（３）については、蹴込板嵌入溝（３２）が、後部上面（３１）の後端縁（３１１）よりある程度前側に寄った位置にて、内柱側先端部（３３）から後端縁（３１１）に沿って幅方向に形成されており、この蹴込板嵌入溝（３２）より後側つまり蹴込板嵌入溝（３２）と後端縁（３１１）との間に支持台座（２）の下面部（２１）が載る載置スペース（３４）が確保されている。
【００１０】
蹴込板（４）は、その下端部（４１）が蹴込板嵌入溝（３２）に嵌め込まれて、踏板（３）上に立設される。当然この蹴込板（４）の立設後であっても、上記載置スペース（３４）は確保されている。
【００１１】
各段毎に配設される支持台座（２）については、上段の踏板（３）を載せて支持するのに十分な面積形状の上面部（２３）を有するブロック部材で構成され、その下面部（２１）の先端一部分が踏板（３）の上記載置スペース（３４）に載るとともに、その一方の側面部（２２）が踏板（３）に立設した上記蹴込板（４）の後面部（４２）に対向するようにして、内柱（１）に取り付けられるようになっている。内柱（１）へは、たとえばその背面部（２４）が内柱（１）表面に当接して接着剤や釘打ち等により固定される。
【００１２】
そして、この支持台座（２）の上面部（２３）に次の上段の踏板（３）を載置し、後は順次同様にして支持台座（２）と踏板（３）および蹴込板（４）を内柱（１）を中心に配設していけばよい。
【００１３】
これにより、各段毎の個別の支持台座（２）であっても、全て同一形状のもので踏板（３）を支持して各段を構成でき、もちろん小型でもあるので、従来に比べてより容易な施工が実現されることとなる。
【００１４】
また、図１の実施形態では、支持台座（２）における蹴込板（４）の後面部（４２）に対向する前記側面部（２２）を、蹴込板（４）の設置角度、つまり踏板（３）上に立設したときに内柱（１）に対して成す角度、と整合させたものとしてもいる。
【００１５】
これにより、下面部（２１）を踏板（３）の後部上面（３１）の載置スペース（３４）に載せる際に、側面部（２１）を蹴込板（４）の後面部（４２）に当接させることができるので、支持台座（２）による後面部（４２）の支持も実現され、踏板（３）による下端部（４１）の支持と相まって、蹴込板（４）のより確実な取付支持が実現されることとなる。
【００１６】
ところで、廻り階段を構成する各段の幅寸法や段数・枚数などの諸条件によっては、たとえば図２に例示したように、各段で内柱（１）に対する蹴込板（４）の設置角度が異なる場合がある。図２の例では、１段目は９０度、２段目は６０度、３段目は９０度になっている。
【００１７】
そこで、このような場合に対応させるべく、支持台座（２）を、両側の側面部（２２）、つまり蹴込板（４）の後面部（４２）に対向する側面部（２２）とその反対側の側面部（２２）、の角度を互いに異ならせたものとすることで、それを各段にて蹴込板（４）の設置角度と整合するように反転させて取り付けることができ、よって単一種類の支持台座（２）で全段の蹴込板（４）の後面部（４２）支持を実現できるようになる。図２の例では、一方を６０度側面部（２２ａ）、その反対側の他方を９０度側面部（２２ｂ）とした単一種類の支持台座（２）を用いており、１段目および３段目では９０度側面部（２２ｂ）を、２段目では６０度側面部（２２ａ）をそれぞれ蹴込板（４）の後面部（４２）に対向当接させている。
【００１８】
この一方で、また別の廻り階段の諸条件によっては、たとえば図３に例示したように、蹴込板（４）の設置角度が２種類以上あるために、側面部（２２）の角度を異ならせた上記支持台座（２）であっても１種類では対応できない場合も生じ得る。図３の例では、２段目の蹴込板（４）の設置角度が内柱（１）に対してさらに鋭角の３０度になるため、６０度側面部（２２ａ）および９０度側面部（２２ｂ）のいずれも当接しない。
【００１９】
そこで、このような場合にも対応するには、たとえば図４に例示したように、さらに別の側面角度を有する支持台座（２）を用いればよい。図４の例では、１段目および４段目に図２・図３の場合と同じ支持台座（２Ａ）を用い、２段目および３段目にて、それとは異なる形状種類の６０度側面部（２２ａ）および３０度側面部（２２ｃ）を有する支持台座（２Ｂ）をそれぞれ反転させて用いることで、１段目〜４段目全てにおける蹴込板（４）の後面部（４２）支持を行っている。
【００２０】
もちろん、上記例では２種類の支持台座（２Ａ）（２Ｂ）を用いるだけでよく、このように最小限の形状種類の支持台座（２）を用いるのであれば、現場施工にて手間がかかることもなく、優れた施工性を維持できる。しかもこれは全段にて蹴込板（４）の後面部（４２）の支持を必要とする場合にのみ考慮される態様であるため、その支持が必要でない場合には前述のとおりの１種類の支持台座（２）のみで対応すればよい。
【００２１】
なお、以上のとおりの廻り階段の構造において用いられる踏板（３）については、たとえば図５に例示したように、太さの異なる複数の内柱（１ａ）（１ｂ）（１ｃ）（図５では３種類）の横断面外周形状（１１ａ）（１１ｂ）（１１ｃ）が各々中心を一致させて記載されているとともに各横断面外周形状（１１ａ）（１１ｂ）（１１ｃ）に対する踏板（３）の内柱側先端部（３３ａ）（３３ｂ）（３３ｃ）、つまり支持台座（２）に載置された際に内柱（１）に接することとなる先端部、の形状が記載されている型紙に従った内柱側先端部（３３ａ）（３３ｂ）（３３ｃ）形状を有するものとすることが好ましい。
【００２２】
これにより、現場にて内柱（１）の大きさや位置を測定して踏板（３）にケガキし、切断加工するといった手間のかかる施工が不要となり、様々な太さの内柱（１）に対しても、踏板（３）の内柱側先端部（３３）の加工をその加工位置を上記型紙に従って求め決めるだけで行うことができ、より容易な現場施工を実現できるようになる。型紙は踏板（３）と同梱しておけばよい。
【００２３】
この出願の発明は以上の実施形態に限定されるものではなく、細部については様々な態様が可能であることは言うまでもない。
【００２４】
【発明の効果】
以上詳しく説明したとおり、この出願の発明によって、小型で且つ一種類もしくは最小限の形状種類の支持台座を各段にて共通的に用いることができ、より容易に施工可能な、新しい廻り階段の内柱支持構造が提供される。
【図面の簡単な説明】
【図１】この出願の発明の一実施形態を示した斜視図である。
【図２】支持台座による蹴込板の支持について説明するための図である。
【図３】支持台座による蹴込板の支持について説明するための別の図である。
【図４】支持台座による蹴込板の支持について説明するためのさらに別の図である。
【図５】型紙に従った踏板の内柱側先端部形状について説明するための図である。
【符号の説明】
１，１ａ，１ｂ，１ｃ  内柱
１１，１１ａ，１１ｂ，１１ｃ  横断面外周形状
２，２Ａ，２Ｂ  支持台座
２１  下面部
２２  側面部
２２ａ  ６０度側面部
２２ｂ  ９０度側面部
２２ｃ  ３０度側面部
２３  上面部
２４  背面部
３  踏板
３１  後部上面
３１１  後端縁
３２  蹴込板嵌入溝
３３，３３ａ，３３ｂ，３３ｃ  内柱側先端部
３４  載置スペース
４  蹴込板
４１  下端部
４２  後面部
【図１】
2004176292.tif 000003
【図２】
2004176292.tif 000004
【図３】
2004176292.tif 000005
【図４】
2004176292.tif 000006
【図５】
2004176292.tif 000007